(57)【要約】【課題】本部または各店舗が販売当日に仕入れた生鮮商品を活かした献立を提案できる献立提案型店頭表示システムを提供する。【解決手段】本部１又は各店舗Ａ〜Ｄから、コンテンツ生成用の情報として、販売当日の仕入分の生鮮商品を含む仕入情報を、販売当日にコンテンツプロバイダ２が受け取り、コンテンツプロバイダ２が、商品データベース１３と、料理データベース１４とから、販売当日の仕入分の生鮮商品を含む生鮮情報、同生鮮商品を用いた献立レシピ情報を含むコンテンツを生成し、生成したコンテンツを各店舗A〜Ｄに一斉配信し、各店舗A〜Ｄの店頭ディスプレイ１８に表示する。【選択図】図１
2007213464.tif 000002
【特許請求の範囲】
【請求項１】
商品を販売する各店舗の本部から、コンテンツ生成用の情報として、販売当日の仕入分の生鮮商品を含む仕入情報を、販売当日にコンテンツプロバイダが受け取り、
コンテンツプロバイダにおいて、商品情報に関するデータベースと、料理情報に関するデータベースとから、販売当日の仕入分の生鮮商品を含む生鮮情報、販売当日の仕入分の生鮮商品を用いた献立レシピ情報を含むコンテンツを生成し、
生成したコンテンツを前記各店舗に一斉に配信し、当該各店舗の店頭に設置したディスプレイに表示することを特徴とする献立提案型店頭表示システム。
【請求項２】
販売当日の仕入分の生鮮商品を含む生鮮情報、特売情報、タイムセールス情報を組み合わせた第一表示画面と、販売当日の仕入分の生鮮商品を用いた献立レシピ情報からなる第二表示画面とを含む複数の表示画面を予め設定した時間で順次切り替えて前記ディスプレイに表示するようにしたことを特徴とする請求項１記載の献立提案型店頭表示システム。
【請求項３】
前記料理情報に関するデータベースに蓄積される料理情報は、コンテンツサプライヤーにより供給されることを特徴とする、請求項１又は請求項２記載の献立提案型店頭表示システム。
【請求項４】
本部から販売当日の仕入分の生鮮商品を含む更新情報を、販売当日にコンテンツプロバイダが受け取り、
コンテンツプロバイダにおいて、既に各店舗に配信済みのコンテンツに関して前記更新情報に基づき更新し、更新後のコンテンツを前記各店舗に一斉に配信して、当該各店舗の店頭に設置したディスプレイに更新後のコンテンツを表示することを特徴とする、請求項１ないし請求項３記載の献立提案型店頭表示システム。
【請求項５】
前記各店舗の一つから販売当日の仕入分の生鮮商品を含む更新情報を、販売当日にコンテンツプロバイダが受け取り、
コンテンツプロバイダにおいて、更新情報を受け取った店舗に既に配信済みのコンテンツに関して前記更新情報に基づき更新し、更新後のコンテンツを前記更新情報を受け取った店舗に配信して、当該店舗の店頭に設置したディスプレイに更新後のコンテンツを表示することを特徴とする、請求項１ないし請求項４記載の献立提案型店頭表示システム。
【請求項６】
商品を販売する各店舗から、コンテンツ生成用の情報として、各店舗が単独に又は共同で販売当日に仕入れた生鮮商品を含む仕入情報を、販売当日にコンテンツプロバイダが各店舗毎に受け取り、
コンテンツプロバイダにおいて、商品情報に関するデータベースと、料理情報に関するデータベースとから、販売当日の仕入分の生鮮商品を含む生鮮情報、販売当日の仕入分の生鮮商品を用いた献立レシピ情報を含むコンテンツを各店舗毎に生成し、
各店舗毎に生成したコンテンツを前記各店舗に配信し、当該各店舗の店頭に設置したディスプレイにそれぞれ表示することを特徴とする献立提案型店頭表示システム。
【請求項７】
商品を販売する各店舗の本部から、販売当日に本部が仕入れた生鮮商品を含む仕入情報を、前記各店舗から、各店舗が単独に又は共同で販売当日に仕入れた生鮮商品を含む仕入情報を、コンテンツ生成用の情報として、それぞれ販売当日にコンテンツプロバイダが受け取り、
コンテンツプロバイダにおいて、商品情報に関するデータベースと、料理情報に関するデータベースとから、販売当日の仕入分の生鮮商品を含む生鮮情報、販売当日の仕入分の生鮮商品を用いた献立レシピ情報を含むコンテンツを各店舗毎に生成し、
各店舗毎に生成したコンテンツを前記各店舗に配信し、当該各店舗の店頭に設置したディスプレイにそれぞれ表示することを特徴とする献立提案型店頭表示システム。
【発明の詳細な説明】
【技術分野】
【０００１】
本発明は、スーパーマーケット等の店舗の店頭に設置したディスプレイを用いて、来店した顧客に対し、販売当日に仕入れた鮮魚や旬鮮野菜等の生鮮商品を活かした献立を積極提案して、生鮮商品の販売促進と売れ残り低減を図ることのできる、献立提案型店頭表示システムに関する。
【背景技術】
【０００２】
主婦の最大の悩み事は、毎日の食事の献立を考えることと言われている。通常は、冷蔵庫内の食材を確認し、あるいは新聞の折込チラシを見てその日の特売情報やお買い得情報を確認して、献立を決定し、スーパー等へ出かけて必要な食材を購入する例が多い。また、忙しい主婦の場合、例えば仕事の帰りにスーパーに立ち寄り、店内を回りながら食材を眺めつつその日の献立を考える場合もある。いずれにしても、主婦にとって毎日の献立を考えることは頭を悩ますことである。
【０００３】
一方、スーパー等の店舗の悩み事の一つは、鮮魚や旬鮮野菜など、その日のせり市場でしか仕入れることができない生鮮商品をその日の閉店まであるいは特定の日までに売り切りたいということである。販売当日にしか仕入れることのできない商品の宣伝は、販売当日に店舗内で店頭チラシを貼り出し、店員自らの声でPRする等しかなく、事前に新聞読者に配布する折込チラシにはそもそも印刷に間に合わないという事情がある。このため、顧客に対する宣伝広告を十分に行えず、売れ残りが発生しやすく廃棄処分になり易いと言う問題を抱えていた。
【０００４】
従来より、来店する顧客に対し、店内の食材を用いた献立の作成を支援するシステムの技術がいくつか提案されている。例えば、特許文献１の支援システムによると、ディスプレイ等の献立提案装置が表示する献立を参考にして、顧客がデータ提供装置からレシピを携帯情報端末にダウンロードし、食材ブースに置かれた必要な食材を購入することができる。
【特許文献１】特開２００５−１４８８５０号公報
【発明の開示】
【発明が解決しようとする課題】
【０００５】
しかしながら、本部からの仕入情報と各店舗独自の仕入情報に対応した、フレキシブルで利便性の高い、献立提案型の表示システムについては、未だ提案がなされていない。
【０００６】
本発明は、前記課題に鑑みてなされたもので、本部または各店舗が販売当日に仕入れた生鮮商品を活かした献立を提案することにより、顧客に対する生鮮商品の販売促進と、生鮮商品の売れ残り低減を、共に実現することができ、また、フレキシブルで利便性の高い、献立提案型店頭表示システムを提供することを目的とする。
【課題を解決するための手段】
【０００７】
上記課題を解決するために、本発明の請求項１に係る献立提案型店頭表示システムは、
商品を販売する各店舗の本部から、コンテンツ生成用の情報として、販売当日の仕入分の生鮮商品を含む仕入情報を、販売当日にコンテンツプロバイダが受け取り、
コンテンツプロバイダにおいて、商品情報に関するデータベースと、料理情報に関するデータベースとから、販売当日の仕入分の生鮮商品を含む生鮮情報、販売当日の仕入分の生鮮商品を用いた献立レシピ情報を含むコンテンツを生成し、
生成したコンテンツを前記各店舗に一斉に配信し、当該各店舗の店頭に設置したディスプレイに表示することを特徴とする。
【０００８】
請求項１に係る献立提案型店頭表示システムによると、各店舗の店頭ディスプレイを用いて、各店舗に来店する顧客に対し、本部が販売当日に仕入れた生鮮商品情報の提供と当該生鮮商品を用いた献立の提案を行うことにより、毎日の献立を考えるという主婦の悩みと、本部が販売当日に仕入れた生鮮商品の売れ残り、廃棄処分を減らし無くしたいという本部および店舗側の悩みを同時に解消できる。
【０００９】
すなわち、販売当日の開店前に、本部から送られる、販売当日の仕入分の生鮮商品を含む仕入情報をコンテンツプロバイダが受け取り、同開店前に、コンテンツプロバイダが、販売当日の仕入分の生鮮商品を含む生鮮情報と当該生鮮商品を用いた献立レシピ情報とを含むコンテンツを生成して各店舗に一斉に配信し、同コンテンツを各店舗の店頭に設置したディスプレイに表示できるから、各店舗に来店する顧客に対し、開店後直ちに、各店舗のディスプレイを用いて前記生鮮商品の広告宣伝を行うことができ、利便性の極めて高いシステムを実現できる。
【００１０】
本部から送られる情報に応じて、コンテンツプロバイダから複数の店舗に対しコンテンツを一斉に配信し、各店舗の店頭ディスプレイにコンテンツを表示でき、本部を含む各店舗全体からみて、極めて効率に優れた広告宣伝を行うことができる。
【００１１】
本発明の請求項２に係る献立提案型店頭表示システムは、販売当日の仕入分の生鮮商品を含む生鮮情報、特売情報、タイムセールス情報を組み合わせた第一表示画面と、販売当日の仕入分の生鮮商品を用いた献立レシピ情報からなる第二表示画面とを含む複数の表示画面を予め設定した時間で順次切り替えて前記ディスプレイに表示するようにしたことを特徴とする。
【００１２】
請求項２に係る献立提案型店頭表示システムによると、各店舗に来店した顧客に対し、広告宣伝効果をより一層高めることができる。
【００１３】
本発明の請求項３に係る献立提案型店頭表示システムは、前記料理情報に関するデータベースに蓄積される料理情報が、コンテンツサプライヤーにより供給されることを特徴とする。
【００１４】
請求項３に係る献立提案型店頭表示システムによると、販売当日に仕入れる生鮮商品を用いた献立、レシピ等の料理情報について、予めコンテンツサプライヤーにより準備し、料理データベースに蓄積しておくことができる。コンテンツサプライヤーとしては、例えば、地元の生鮮商品に詳しい料理研究家などが考えられる。
【００１５】
本発明の請求項４に係る献立提案型店頭表示システムは、
本部から販売当日の仕入分の生鮮商品を含む更新情報を、販売当日にコンテンツプロバイダが受け取り、
コンテンツプロバイダにおいて、既に各店舗に配信済みのコンテンツに関して前記更新情報に基づき更新し、更新後のコンテンツを前記各店舗に一斉に配信して、当該各店舗の店頭に設置したディスプレイに更新後のコンテンツを表示することを特徴とする。
【００１６】
請求項４に係る献立提案型店頭表示システムによると、各店舗の開店後、本部からの更新情報に基づき、各店舗に配信したコンテンツをタイミングよく一斉に更新することができて、販売当日の天候や売行き状況に応じて弾力的運用が可能な、フレキシブル性の高いシステムを実現できる。
【００１７】
請求項５に係る献立提案型店頭表示システムは、
前記各店舗の一つから販売当日の仕入分の生鮮商品を含む更新情報を、販売当日にコンテンツプロバイダが受け取り、
コンテンツプロバイダにおいて、更新情報を受け取った店舗に既に配信済みのコンテンツに関して前記更新情報に基づき更新し、更新後のコンテンツを前記更新情報を受け取った店舗に配信して、当該店舗の店頭に設置したディスプレイに更新後のコンテンツを表示することを特徴とする。
【００１８】
請求項５に係る献立提案型店頭表示システムによると、各店舗毎の生鮮商品等の売行き状況に応じて、各店舗毎にコンテンツを更新可能とし、各店舗毎に独自の販売宣伝を行うことができ、フレキシブルで利便性の高いシステムを実現できる。
【００１９】
請求項６に係る献立提案型店頭表示システムは、
商品を販売する各店舗から、コンテンツ生成用の情報として、各店舗が単独に又は共同で販売当日に仕入れた生鮮商品を含む仕入情報を、販売当日にコンテンツプロバイダが各店舗毎に受け取り、
コンテンツプロバイダにおいて、商品情報に関するデータベースと、料理情報に関するデータベースとから、販売当日の仕入分の生鮮商品を含む生鮮情報、販売当日の仕入分の生鮮商品を用いた献立レシピ情報を含むコンテンツを各店舗毎に生成し、
各店舗毎に生成したコンテンツを前記各店舗に配信し、当該各店舗の店頭に設置したディスプレイにそれぞれ表示することを特徴とする。
【００２０】
請求項６に係る献立提案型店頭表示システムによると、各店舗に来店する顧客に対し、各店舗が単独に又は共同で販売当日に仕入れた生鮮商品と、この生鮮商品を用いた独自の献立について、開店後直ちに、各店舗のディスプレイを用いて広告宣伝を行うことができる。
【００２１】
請求項７に係る献立提案型店頭表示システムは、
商品を販売する各店舗の本部から、販売当日に本部が仕入れた生鮮商品を含む仕入情報を、前記各店舗から、各店舗が単独に又は共同で販売当日に仕入れた生鮮商品を含む仕入情報を、コンテンツ生成用の情報として、それぞれ販売当日にコンテンツプロバイダが受け取り、
コンテンツプロバイダにおいて、商品情報に関するデータベースと、料理情報に関するデータベースとから、販売当日の仕入分の生鮮商品を含む生鮮情報、販売当日の仕入分の生鮮商品を用いた献立レシピ情報を含むコンテンツを各店舗毎に生成し、
各店舗毎に生成したコンテンツを前記各店舗に配信し、当該各店舗の店頭に設置したディスプレイにそれぞれ表示することを特徴とする。
【００２２】
請求項７に係る献立提案型店頭表示システムによると、各店舗に来店する顧客に対し、本部が販売当日に仕入れた生鮮商品と、各店舗が販売当日に仕入れた生鮮商品を組み合わせて、これらの生鮮商品を用いた共通の又は独自の献立について、開店後直ちに、各店舗のディスプレイを用いて広告宣伝を行うことができ、極めてフレキシブル性の高いシステムを実現できる。
【発明の効果】
【００２３】
以上説明したように、本発明に係る献立提案型店頭表示システムによると、店舗の店頭に設置したディスプレイを用いて、来店した顧客に対し、販売当日に仕入れた生鮮商品を活かした献立を積極提案して、生鮮商品の販売促進と売れ残り低減を図ることができるという優れた効果を奏する。また、本部又は各店舗からの仕入情報に対応した、フレキシブルで利便性の高いシステムを実現できる。
【発明を実施するための最良の形態】
【００２４】
以下、本発明の実施の形態を図面を参照して説明する。
【００２５】
図１は、本発明に係る献立提案型店頭表示システムの構成例を示している。図１に示すように、スーパーストアの本部１のコンピュータ端末１０とコンテンツプロバイダ２のサーバー１１との間、スーパーストアの各店舗Ａ〜Ｄのコンピュータ端末１０とコンテンツプロバイダ２のサーバー１１との間は、それぞれ通信ネットワーク１２により接続されている。
【００２６】
コンテンツプロバイダ２におけるサーバー１１は、スーパーストアの本部１又は各店舗Ａ〜Ｄの各コンピュータ端末１０からコンテンツ生成に必要な情報を受け取り、コンテンツを生成し、生成したコンテンツを各店舗Ａ〜Ｄに配信する役目をするコンピュータシステムで、データベースとして、各店舗Ａ〜Ｄが販売する商品に関する情報を格納する商品データベース１３と、各店舗Ａ〜Ｄが販売する食材に関する料理情報を格納する料理データベース１４と、各店舗Ａ〜Ｄを利用する顧客情報に関する顧客データベース１５を備えている。
【００２７】
また、このサーバー１１は、各店舗Ａ〜Ｄに配信するコンテンツをＷｅｂページの形態で格納するＷｅｂサーバ１６と、顧客に配信するメールを格納するメールサーバ１７とを備えている。
【００２８】
各店舗Ａ〜Ｄの店頭には、コンテンツプロバイダ２からＷｅｂページの形態で配信されるコンテンツ情報を表示する大型ディスプレイ１８が設置されている。
【００２９】
次に、上記構成の献立提案型店頭表示システムを用いて各店舗Ａ〜Ｄの大型ディスプレイ１８にコンテンツを表示する手順を説明する。なお、ここでは、各店舗Ａ〜Ｄが販売する商品を本部１が一括して仕入れる場合を想定して説明する。
【００３０】
本部１は、各店舗Ａ〜Ｄが販売する商品を一括して仕入れるが、仕入れ対象の商品には、生鮮商品（青果物、魚介類、肉類など）、加工食品、日用品・雑貨などがある。また、生鮮商品には、販売当日以前に予め仕入可能な生鮮商品（肉、冷凍魚、卵など）と、せり市場等を経由して販売当日に仕入れる生鮮商品（鮮魚、旬鮮野菜など）とがある。後者の販売当日に仕入れる生鮮商品は、販売当日のみ価格設定が可能で、従って、予め配布する折込チラシ等には広告掲載が間に合わないものである。
【００３１】
本部１が販売当日の市場から生鮮商品を仕入れた後、店舗Ａ〜Ｄの開店時間前に、コンテンツ生成用の情報として、仕入商品に関する情報（１．商品名、２．価格、３．産地、４．種別（生鮮商品／特売品／タイムサービス品／一般商品）、５．仕入日、６．仕入元（本部／店舗Ａ／店舗Ｂ／…）など）を、本部１のコンピュータ端末１０から、担当者が、通信ネットワーク１２を介してコンテンツプロバイダ２のサーバー１１に送信する。
【００３２】
コンテンツプロバイダ２は、本部１から送信された情報に基づき、各店舗Ａ〜Ｄに一斉配信するコンテンツを生成する。各店舗Ａ〜Ｄに配信するコンテンツには、当日仕入分を含む生鮮情報、特売情報、タイムサービス情報、当日仕入分の生鮮商品を用いた献立レシピ情報を含めるものとする。
【００３３】
まず、商品データベース１３から、当日仕入分を含む生鮮情報、特売情報、タイムサービス情報に用いる情報を検索および抽出する。商品データベース１３には、１．商品名、２．価格、３．種別（生鮮品／特売品／タイムサービス品／一般商品）、４．産地情報、５．生産者情報、６．商品画像、７．仕入日、８．仕入元（本部／店舗Ａ／店舗Ｂ／…）、などの商品情報が格納されている。商品データベース１３に格納されている情報は、本部１又は各店舗Ａ〜Ｄから送信された情報により、新規保存又は更新可能である。
【００３４】
次に、料理データベース１４から、当日仕入分の生鮮商品を用いた献立レシピ情報に用いる情報を検索および抽出する。料理データベース１４には、１．献立名、２．商品名（主要食材）、３．材料、４．調理方法、５．概要、６．調理後の画像等の料理情報が格納されている。例えば、当日仕入分の生鮮商品がさば、白菜である場合、商品名（さば、白菜）を検索キーとして、さば、白菜を用いた献立（１．しめさば、２．さばの衣揚げ、３．白菜の一夜漬け、４．さばと白菜の煮物等）を抽出するとともに、各献立に用いられる材料等の前記料理情報を抽出する。
【００３５】
料理データベース１４に格納する献立名、材料等の料理情報は、予め地元食材の料理研究家などのコンテンツサプライヤー１９と協議し、蓄積しておく。また、必要に応じて更新する。
【００３６】
コンテンツプロバイダ２は、当日仕入分を含む生鮮情報、特売情報、タイムサービス情報、当日仕入分の生鮮商品を用いた献立レシピ情報を含むコンテンツを生成後、当該コンテンツの内容確認を目的として、本部１に通信ネットワーク１２を通じてコンテンツを送信する。本部１の担当者は受信したコンテンツ情報を確認し、コンテンツ情報の内容に間違いがないか否かを確認する。本部１から確認ＯＫの信号を受け取った後、コンテンツプロバイダ２は、Ｗｅｂページ化されたコンテンツを、各店舗Ａ〜Ｄの開店時間前に、各店舗Ａ〜Ｄのクライアントサーバー２０に一斉に配信し、各店舗Ａ〜Ｄの店頭に設置された大型ディスプレイ１８に表示する。
【００３７】
大型ディスプレイ１８には、図２に示す、当日仕入分を含む生鮮情報、特売情報、タイムサービス情報を表示する第一表示画面２１と、図３に示す、当日仕入分の生鮮商品を用いた複数の献立レシピ情報を表示する第二表示画面２２とを、予め定められた時間に従って切り替えながら表示する。この切り替え制御は、コンテンツプロバイダ２のＷｅｂサーバ１６におけるタイマー機能付きのＣＧＩプログラム制御により実現する。大型ディスプレイ１８には、新商品等の紹介、今後のイベント紹介、ＢＳＥ情報等の各種情報を含む第三、第四の表示画面を表示させるように構成してもよい。
【００３８】
店舗Ａ〜Ｄの開店後、当日仕入分の生鮮商品の在庫を含む売行状況、特売品の売行状況に応じて、店頭の大型ディスプレイ１８の表示内容を変更したい場合がある。例えば、店舗Ａにおいて、タイムセールス品の対象、価格を変更したい場合、店舗Ａのコンピュータ端末１０から、タイムセールス品に関する更新情報（商品名、価格）をコンテンツプロバイダ２に送信する。
【００３９】
コンテンツプロバイダ２は、店舗Ａ向けにコンテンツを更新し、更新後のコンテンツを店舗Ａに配信し、店舗Ａの店頭の大型ディスプレイ１８に更新後のコンテンツを表示する。コンテンツの更新作業は、本部１からの更新情報に基づき各店舗Ａ〜Ｄに対し一斉配信するほか、各店舗Ａ〜Ｄの独自の更新情報に基づき各店舗Ａ〜Ｄに対し独自に配信することが可能である。
【００４０】
図４は、本部１のコンピュータ端末１０の入力画面の例を示している。本部１の担当者は、コンピュータ端末１０の入力画面２３から仕入れ商品に関する商品情報を入力することができる。入力情報には、商品名、価格、種別、産地、仕入日、仕入元等の各情報が含まれる。また、特売情報として、例えば○○全品２割引とか、○○食品半額といった情報を入力することもできる。
【００４１】
図４に示す入力画面２３に必要情報を入力後、送信ボタン２４をクリックすると、コンテンツ生成用の情報がコンテンツプロバイダ２のコンピュータサーバー１１に送信される。コンテンツプロバイダ２からは、前記送信された情報に基づき生成されたコンテンツのＷｅｂページが、本部１の担当者のコンピュータ端末１０の確認画面２５に送られる。確認画面２５には、図２の第一表示画面２１に対応する図５に示す画面の他、図３の第二表示画面２２に対応する画面（但し、図示せず）が含まれる。担当者は、確認画面２５に表示された各情報を確認した後、確認ボタン２６をクリックすると、確認ＯＫの信号を受け取ったコンピュータサーバー１１から確定後のＷｅｂページが各店舗Ａ〜Ｄのクライアントサーバー２０に一斉に配信され、各クライアントサーバー２０から大型ディスプレイ１８にコンテンツが表示される。
第二表示画面２２に関しては、確認画面の前に、当日仕入分の生鮮商品名を検索キーとしてヒットした献立名の一覧から特定の献立のみにチェックマークを付与し、チェックマークを付与した献立レシピ情報のみを表示させることもできる。
【００４２】
各店舗Ａ〜Ｄに来店する顧客は、来店前に、自宅のパソコンや携帯電話からインターネット２８を介してコンテンツプロバイダ２のＷｅｂサーバ１６にアクセスし、前記コンテンツ情報に関するホームページ２７を閲覧し、当日仕入分を含む生鮮情報や特売情報等の有益情報を来店前に予め入手することが可能である。この場合、ホームページ２７の閲覧者の注文に応じて商品配送センターから生鮮商品等を注文者の自宅に直接配送することも可能である。
【００４３】
また、コンテンツプロバイダ２のメールサーバ１７から、上記生鮮情報、特売情報等の有益情報を含むメールを顧客データベース１５の登録者の自宅パソコンや携帯電話に配信することができる。これによりメール配信者に対し来店の動機付けを与えることができるし、メール配信者からの注文に応じて商品配送センターから生鮮商品等を注文者の自宅に直接配送することもできる。なお、顧客データベース１５は、本部１又は各店舗の顧客データベースから顧客データを入手又は更新する。
【産業上の利用可能性】
【００４４】
本発明に係る献立提案型店頭表示システムは、店舗に来店した顧客に対し、販売当日の仕入分を含む生鮮商品を活かした献立を提案することのできる、献立提案型店頭表示システムとして好適に利用可能である。
【図面の簡単な説明】
【００４５】
【図１】本発明に係る販売提案型店頭表示システムを示す全体図、
【図２】店舗の店頭に設置した大型ディスプレイの表示画面を示す図、
【図３】店舗の店頭に設置した大型ディスプレイの別の表示画面を示す図、
【図４】本部又は店舗側のコンピュータ端末の入力画面の例を示す図、
【図５】図２に示すコンピュータ端末の確認画面の例を示す図である。
【符号の説明】
【００４６】
１  スーパーストアの本部
２  コンテンツプロバイダ
１０  コンピュータ端末
１１  サーバー
１２  通信ネットワーク
１３  商品データベース
１４  料理データベース
１５  顧客データベース
１６  Ｗｅｂサーバ
１７  メールサーバ
１８  大型ディスプレイ
１９  コンテンツサプライヤー
２０  クライアントサーバ
２１  第一表示画面
２２  第二表示画面
２３  入力画面
２４  送信ボタン
２５  確認画面
２６  確認ボタン
２７  ホームページ
２８  インターネット
Ａ、Ｂ、Ｃ、Ｄ  スーパーストアの店舗
【図１】
2007213464.tif 000003
【図２】
2007213464.tif 000004
【図３】
2007213464.tif 000005
【図４】
2007213464.tif 000006
【図５】
2007213464.tif 000007